(57)【要約】【課題】映像表示に応じて、信号ライン駆動部の出力電流値を変化させる場合、電流値の変化に伴い、必要電圧が下がった場合、信号ライン駆動部に過剰な電圧を供給することになり、信号ライン駆動部内で電力ロスが生じる。【解決手段】表示ユニット１の走査ラインを駆動する走査ライン駆動部６と、表示ユニットの信号ラインを駆動する信号ライン駆動部５と、信号ライン駆動部から出力する電流を表示ユニットに表示する映像により変化させる駆動電流制御部８と、信号ライン駆動部に入力する電圧を制御する電圧制御部１０を備え、表示する映像により信号ライン駆動部５から出力する電流を駆動電流制御部８により変化させた場合に、電圧制御部１０は信号ライン駆動部５に入力する電圧を変化させて、消費電力を少なくする。【選択図】図１
2013097169.tif 000002
【特許請求の範囲】
【請求項１】
複数の走査ラインと複数の信号ラインを有し、そのラインの交点に発光素子の画素が配置された表示ユニットの駆動装置において、前記走査ラインを駆動する走査ライン駆動部と、前記信号ラインを駆動する信号ライン駆動部と、前記信号ライン駆動部から出力する電流を前記表示ユニットに表示する映像により変化させる駆動電流制御部と、前記信号ライン駆動部に入力する電圧を制御する電圧制御部と、前記走査ライン駆動部と前記信号ライン駆動部および前記駆動電流制御部と前記電圧制御部の制御を行うコントロ−ラを備え、表示する映像により前記信号ライン駆動部から出力する電流を前記駆動電流制御部により変化させた場合に、前記電圧制御部は前記信号ライン駆動部に入力する電圧を変化させるようにしたことを特徴とする表示ユニットの駆動装置。
【請求項２】
前記電圧制御部は、前記信号ライン駆動部から出力する電流を小さくしたときに前記信号ライン駆動部に入力する電圧も小さく、前記信号ライン駆動部から出力する電流を大きくしたときに前記信号ライン駆動部に入力する電圧も大きくするように制御した請求項１に記載の表示ユニットの駆動装置。
【請求項３】
前記コントローラは、前記信号ライン駆動部から出力する電流と前記信号ライン駆動部に入力する電圧を、ＲＧＢ各色個別に制御するようにした請求項１または請求項２に記載の表示ユニットの駆動装置。
【請求項４】
前記電圧制御部は、前記表示ユニット中の複数の走査ラインのうち、駆動する走査ラインの位置に応じて、その走査ラインを駆動する期間、前記信号ライン駆動部に入力する電圧を調整するようにした請求項１に記載の表示ユニットの駆動装置。
【請求項５】
前記表示ユニットを複数組み合わせて１つの画面にしたときに、前記表示ユニットに表示する映像と前記表示ユニットの配置位置により、前記電圧制御部は前記表示ユニット毎に信号ライン駆動部に入力する電圧を個別に制御するようにした請求項１〜請求項４のいずれか１項に記載の表示ユニットの駆動装置。
【請求項６】
前記コントローラと前記走査ライン駆動部および前記信号ライン駆動部との間、および前記コントローラと前記駆動電流制御部との間に遅延回路を設け、前記信号ライン駆動部から出力される電流と、前記信号ライン駆動部に入力される電圧が同期するようにした請求項１〜請求項５のいずれか１項に記載の表示ユニットの駆動装置。
【請求項７】
前記信号ライン駆動部は、少なくとも１つの電流ソースを含むことを特徴とする請求項１〜請求項６のいずれか１項に記載の表示ユニットの駆動装置。
【請求項８】
前記信号ライン駆動部は、少なくとも１つの電流シンクを含むことを特徴とする請求項１〜請求項６のいずれか１項に記載の表示ユニットの駆動装置。
【発明の詳細な説明】
【技術分野】
【０００１】
この発明は、有機ＥＬやＬＥＤ等の発光素子がマトリクス状に並んだ表示ユニットの駆動装置に関するものである。
【背景技術】
【０００２】
表示装置は、一般に発光素子が並んだ表示パネルで構成された表示ユニットと、発光素子を駆動する駆動装置で構成されている。図１１に示すように、表示ユニット１は複数の信号ライン２と複数の走査ライン３とを有し、そのラインの交点にマトリックス状に並んだ発光素子４の画素が配置された構成になっている。駆動装置は、表示ユニット１の信号ライン２に接続された信号ライン駆動部５と、表示ユニット１の走査ライン３に接続された走査ライン駆動部６と、入力される映像データに応じて信号ライン駆動部５と走査ライン駆動部６を制御するコントローラ７により構成されている。
【０００３】
外部から入力される映像データはコントローラ７が受け取り、コントローラ７は映像データに応じて信号ライン駆動部５と走査ライン駆動部６にそれぞれ制御信号を送信する。表示ユニット１は、コントローラ７から信号ライン駆動部５と走査ライン駆動部６に出力された制御信号に従って駆動され、表示ユニット１に画像表示する。
【０００４】
このような表示装置において、表示ユニット（ディスプレイ）の駆動ライン上に現れる特定の位置の駆動電圧を測定する駆動電圧センサを備え、駆動電圧センサが測定した駆動電圧に応じて、電圧コントローラが駆動ラインに一定の電流を供給する定電流源を有した信号ライン駆動部の電源の電圧を制御し、消費電力を少なくするようにした発明が開示されている（特許文献１参照）。
【先行技術文献】
【特許文献】
【０００５】
【特許文献１】特許第４０６４４００号（図５及びその説明）
【発明の概要】
【発明が解決しようとする課題】
【０００６】
従来の表示装置の駆動は、基本的には定電流駆動を行い、時間幅で階調制御を行っているが、コントローラ７に入力される映像データに応じて信号ライン駆動部５から出力する電流値を変化させる場合がある。このとき信号ライン駆動部５の出力電圧は、その電流値により変化する。出力電流値が小さくなると、発光素子４を駆動するための必要な電圧が小さくなり、信号ライン駆動部５の出力電圧も小さくなる。一方、信号ライン駆動部５に入力する電圧は、信号ライン駆動部５から出力するパルスの最大電流に合わせて設定されるため、信号ライン駆動部５から出力する電流が小さくなると、信号ライン駆動部５の入力電圧と出力電圧の差が大きくなり、電力ロスが生じる。その結果、表示装置の消費電力の悪化を招くことになる。
【０００７】
また、特許文献１の表示装置においては、電流を出力した際の特定の位置の電圧を測定後、入力電圧にフィィードバックするようにしているため、特定位置の電圧を測定してから実際に入力電圧が変化するまで、遅延時間が発生する。発光素子の劣化や素子温度上昇に起因する入力電圧の増加など、入力電圧の最適値の変化の時間軸が長い場合には問題とはならないが、映像表示状態によって電流値を変化させる場合など、短い期間で入力電圧の最適値が変化する場合、電圧ロスや電流不足が発生する。
【０００８】
この発明は、上記のような課題を解決するためになされたものであり、表示する映像に応じて発光素子の駆動電流を変化させた場合に、信号ライン駆動部の入力電圧も変化させることにより、消費電力の改善を図るようにした表示ユニットの駆動装置を得ることを目的とするものである。
【課題を解決するための手段】
【０００９】
この発明の表示ユニットの駆動装置は、複数の走査ラインと複数の信号ラインを有し、そのラインの交点に発光素子の画素が配置された表示ユニットの駆動装置において、走査ラインを駆動する走査ライン駆動部と、信号ラインを駆動する信号ライン駆動部と、信号ライン駆動部から出力する電流を表示ユニットに表示する映像により変化させる駆動電流制御部と、信号ライン駆動部に入力する電圧を制御する電圧制御部と、走査ライン駆動部と信号ライン駆動部および駆動電流制御部と電圧制御部の制御を行うコントロ−ラを備え、表示する映像により信号ライン駆動部から出力する電流を駆動電流制御部により変化させた場合に、電圧制御部は信号ライン駆動部に入力する電圧を変化させるようにしたものである。
【発明の効果】
【００１０】
この発明によれば、例えば信号ライン駆動部から出力する電流を小さくしたときに、信号ライン駆動部に入力する電圧も小さく、また信号ライン駆動部から出力する電流を大きくしたときに、信号ライン駆動部に入力する電圧も大きくするよう、信号ライン駆動部から出力する電流の変化に対応して信号ライン駆動部に入力する電圧を変化させるようにしたから、電力のロスを最小にし、消費電力の悪化を防ぐことができる。
【図面の簡単な説明】
【００１１】
【図１】この発明の実施の形態１における表示ユニットの駆動装置を示す構成図である。
【図２】この発明の実施の形態１における駆動装置の電圧降下の説明図である。
【図３】この発明の実施の形態１における駆動装置の電圧制御の説明図である。
【図４】この発明の実施の形態２における表示ユニットの駆動装置を示す構成図である。
【図５】この発明の実施の形態３における表示ユニットの駆動装置を示す構成図である。
【図６】この発明の実施の形態４における表示ユニットの駆動装置を示す構成図である。
【図７】この発明の実施の形態５の駆動装置を示す説明図である。
【図８】この発明の実施の形態５における駆動装置の電圧制御の説明図である。
【図９】この発明の実施の形態６における表示ユニットの駆動装置を示す構成図である。
【図１０】この発明の実施の形態６における駆動装置の電圧制御の説明図である。
【図１１】従来の表示ユニットの駆動装置を示す構成図である。
【発明を実施するための形態】
【００１２】
実施の形態１．
以下、この発明の実施の形態１における表示ユニットの駆動装置を図１〜図３に基づいて説明する。図１はこの発明の駆動装置の一例を示す構成図、図２および図３は駆動装置の電圧降下および電圧制御の説明図である。
図１において、表示ユニット１は、複数の信号ライン２と複数の走査ライン３と、ラインの交点にマトリクス状に並んだ発光素子４から構成されている。信号ライン２が信号ライン駆動部５に、走査ライン３が走査ライン駆動部６に接続され、信号ライン駆動部５と走査ライン駆動部６はコントローラ７により制御されるようになっている。このような構
成は従来の図１１と同じである。
【００１３】
コントローラ７は、外部からきたビデオやＰＣなどからの映像データを制御回路７１に入力し、制御回路７１は映像データから電流データ、画像データ、走査データに分類する。制御回路７１で分類された電流データは、駆動電流制御部８と電流―電圧変換部９に出力される。一方、制御回路７１で分類された画像データは信号ライン駆動部５に出力され、制御回路７１で分類された走査データは走査ライン駆動部６に出力される。
【００１４】
駆動電流制御部８は、電流データをもとに電流値の変更を行い、信号ライン駆動部５に出力する。信号ライン駆動部５は基本的には定電流駆動の電流ソースを有し、定電流駆動を行って、ＰＷＭ（パルス幅変調）の時間幅で表示する画面の明るさを制御する階調制御を行っている。しかし、表示する映像に応じて、電流値を変化させることで階調制御を行うことがある。
【００１５】
例えば、発光素子４は、輝度を低くする場合に、時間幅を下げるよりも、電流を下げた方が効率良く駆動ができるという特性がある。そのため、暗い映像を表示する場合は、時間幅よりも電流を下げる方が良い。図１に示す通り、電流変化機能を有する駆動電流制御部８が１つに対して複数の信号ライン２が接続されているため、電流を下げると、駆動電流制御部８に接続した複数の信号ライン２すべての輝度が下がる。そこで、駆動方法の一例として、通常の映像表示を行うための輝度の変化は時間幅の変化で行い、画面の明るさ設定の変化など、画面全体の明るさを変化させる場合、電流変化を行う、という方法がある。発光素子４の発光輝度は電流にほぼ比例するため、明るさを数％落とす場合、駆動電流を一律数％落としてやればよい、となる。
【００１６】
電流―電圧変換部９は、電流−電圧相関メモリ９１と電流データ−電圧データ変換部９２を有し、電流−電圧相関メモリ９１の情報をもとに、電流データ−電圧データ変換部９２がコントローラ７から出力された電流データを電圧データに変換する。電流データ−電圧データ変換部９２からの電圧データは電圧制御部１０に出力され、電圧制御部１０の電圧コントロール部１０１において、この電圧データをもとに電源電圧の変更を行い、電圧出力部１０２から電圧を出力する。電圧出力部１０２から出力した電圧は信号ライン駆動部５に入力される。即ち、電圧制御部１０は信号ライン駆動部５から出力される電流変化に対応して信号ライン駆動部５に入力される電圧を変化させるようにしている。
なお、この図１では電流―電圧変換部９は、コントローラ７とは別の構成で記載しているが、コントローラ７の内部に含まれていてもよい。
【００１７】
このように、コントローラ７は、映像データに応じて信号ライン駆動部５、走査ライン駆動部６および駆動電流制御部８に制御信号を送信し、信号ライン駆動部５は画像データに応じた電流で信号ライン２を駆動し、また、走査ライン駆動部６は走査データに応じて走査ライン３を駆動する。これと同時に、電圧制御部１０は信号ライン駆動部５から出力する電流値に応じて、信号ライン駆動部５の入力電圧が最適になるように制御する。これらの動作によって表示ユニット１中の発光素子４は駆動され、画像表示を行う。
【００１８】
この時の発光素子４の駆動に要する電圧を図２に基づいて説明する。信号ライン駆動部５がコントローラ７から送信される画像データに基づいて、電流Ｉ１を出力する時、電流Ｉ１は発光素子４を通って走査ライン駆動部６に流れる。
ここで、走査ライン駆動部６−発光素子４間の抵抗成分をＲ１、発光素子４−信号ライン駆動部５間の抵抗をＲ２とし、Ｒ１部の電圧降下をＶ１、Ｒ２部の電圧降下をＶ２、発光素子４部の電圧降下をＶ３、信号ライン駆動部５の電圧降下をＶ４とすると、電流Ｉ１を出力するために必要な電源ラインの電圧Ｖ５はＶ１＋Ｖ２＋Ｖ３＋Ｖ４となる。
【００１９】
画像データに応じて電流Ｉ１が小さくなる場合、Ｖ１、Ｖ２、Ｖ３、Ｖ４は電流の下げ幅に応じて小さくなり、その結果、電流Ｉ１を出力するために必要な電源ラインの電圧Ｖ５も小さくなる。仮に電流Ｉ１が小さくなっても電圧Ｖ５を変化させなかった場合、必要電圧以上の電圧が信号ライン駆動部５に入力されることになり、信号ライン駆動部５の電圧降下Ｖ４が必要以上に大きくなり、電力ロスとなる。そこで、表示する映像に応じて電流Ｉ１を変化させる際には、電源ラインの電圧も変化させるようコントローラ７により電圧制御部１０に対して制御を行う。
【００２０】
図３は、この発明の駆動方法を用いた場合の信号ライン駆動部５の入力電圧と出力電流値の関係を表す。信号ライン駆動部５から出力する電流値がＩ２からＩ３に低下すると、それに合わせて電圧制御部１０は電源電圧を制御し、信号ライン駆動部５に入力される入力電圧もＶ６からＶ７に低下させる。逆に、信号ライン駆動部５から出力する電流値がＩ３からＩ２に高くすると、それに合わせて電圧制御部１０は電源電圧を制御し、信号ライン駆動部５に入力される入力電圧もＶ７からＶ６に高くする。こうして信号ライン駆動部５から出力する電流値に応じて信号ライン駆動部５の入力電圧が最適になるように制御され、電力ロスを最小にすることができる。
【００２１】
以上のように実施の形態１の発明は、駆動電流や駆動時間を変調して映像を表示する表示装置において、映像する表示に応じて信号ライン駆動部５から出力する電流を駆動電流制御部８の制御により小さくしたときに、電圧制御部１０が信号ライン駆動部５に入力する電圧も小さくし、信号ライン駆動部５から出力する電流を大きくしたときに、電圧制御部１０が信号ライン駆動部５に入力する電圧も大きくするよう制御を行うことで、信号ライン駆動部５における電力のロスを最小にし、消費電力の削減を実現することができる。
【００２２】
実施の形態２．
次に、この発明の実施の形態２における表示ユニットの駆動装置を図４に基づいて説明する。
この実施の形態２の発明は、実施の形態１の駆動装置において、信号ライン駆動部５から出力する電流と信号ライン駆動部５に入力する電圧を、ＲＧＢ信号の各色個別に制御するようにしたものである。
【００２３】
図４において、信号ライン駆動部５は、表示ユニット１の信号ライン２に、Ｒ（赤）信号ライン駆動部５Ｒ、Ｇ（緑）信号ライン駆動部５Ｇ、Ｂ（青）信号ライン駆動部５Ｂの３個が接続されて構成されている。Ｒ信号ライン駆動部５Ｒとコントローラ７との間にはＲ用電圧制御部１０ＲとＲ用駆動電流制御部８Ｒが接続されている。同様に、Ｇ信号ライン駆動部５Ｇとコントローラ７との間にはＧ用電圧制御部１０ＧとＧ用駆動電流制御部８Ｇが接続されている。Ｂ信号ライン駆動部５Ｂとコントローラ７との間にはＢ用電圧制御部１０ＢとＢ用駆動電流制御部８Ｂが接続されている。
なお、この図４においては、電流―電圧変換部９はコントローラ７の中に内蔵されている。また走査ライン駆動部６は省略している。
【００２４】
この実施の形態２の発明においても、映像する表示に応じて、ＲＧＢ信号の各色個別の信号ライン駆動部５Ｒ、５Ｇ、５Ｂから出力する電流を小さくしたときに、電圧制御部１０Ｒ、１０Ｇ、１０Ｂは信号ライン駆動部５Ｒ、５Ｇ、５Ｂに入力する電圧も小さくするよう制御を行うことで、電力のロスを最小にし、消費電力の削減を実現することができる。
【００２５】
実施の形態３．
次に、この発明の実施の形態３における表示ユニットの駆動装置を図５に基づいて説明
する。
この実施の形態３の発明は、複数個の表示ユニットで１つの表示装置が構成され、各表示ユニット毎に信号ライン駆動部が設けられ、電圧制御部から出力される電圧が、複数の信号ライン駆動部に入力されており、電圧制御部から出力する電源ラインの電圧を、複数の信号ライン駆動部から出力する電流値に応じて最適になるよう制御するようにしたものである。
【００２６】
図５において、表示ユニット１は、複数の表示ユニット１ａ、１ｂ、・・１ｎが互いに隣接して配置され、１つの表示装置が構成されるようになっている。各表示ユニット１ａ、１ｂ、・・１ｎの信号ライン２には、それぞれ信号ライン駆動部５ａ、５ｂ・・５ｎが接続されている。各信号ライン駆動部５ａ、５ｂ・・５ｎには、１つの駆動電流制御部８からの信号および１つの電圧制御部１０からの電圧がそれぞれ入力されるようになっている。電流―電圧変換部９を内蔵したコントローラ７は各信号ライン駆動部５ａ、５ｂ・・５ｎ、駆動電流制御部８および電圧制御部１０に制御信号を送るようになっている。なおこの図５では走査ライン駆動部６を省略している。
【００２７】
このような構成で、表示する映像により信号ライン駆動部５ａ、５ｂ・・５ｎから出力される電流を駆動電流制御部８により変化させた場合、電圧制御部１０は電流の変化に対応して信号ライン駆動部５ａ、５ｂ・・５ｎに入力する電圧を変化させる。こうして、電圧制御部１０から出力する電源ラインの電圧を、複数の信号ライン駆動部５ａ、５ｂ・・５ｎから出力する電流値に応じて最適になるよう制御することにより、電力ロスを最小にし、消費電力の削減を実現することができる。
【００２８】
実施の形態４．
次に、この発明の実施の形態４における表示ユニットの駆動装置を図６に基づいて説明する。
この実施の形態４の発明は、複数個の表示ユニットで１つの表示装置が構成され、各表示ユニット毎に信号ライン駆動部が設けられ、電圧制御部も各信号ライン駆動部に対応して複数設けられたものである。
【００２９】
図６において、表示ユニット１は、複数の表示ユニット１ａ１〜１ａｍ、１ｂ１〜１ｂｍ、・・・１ｎ１〜１ｎｍが互いに隣接して縦横に配置され、１つの表示装置が構成されるようになっている。各表示ユニット１ａ１〜１ａｍ、１ｂ１〜１ｂｍ、・・・１ｎ１〜１ｎｍの信号ラインには、それぞれ図示省略の信号ライン駆動部５が接続されている。表示ユニット１ａ１〜１ａｍに対応する各信号ライン駆動部５には、電圧制御部１０ａが接続され、表示ユニット１ｂ１〜１ｂｍに対応する各信号ライン駆動部５には、電圧制御部１０ｂが接続され、表示ユニット１ｎ１〜１ｎｍに対応する各信号ライン駆動部５には、電圧制御部１０ｎが接続されている。
【００３０】
各信号ライン駆動部５には複数の電圧制御部１０ａ、１０ｂ・・・１０ｎからの電圧が入力されるようになっている。電流―電圧変換部を内蔵したコントローラ７は各電圧制御部１０ａ、１０ｂ・・・１０ｎに制御信号を送るようになっている。なおこの図６では信号ライン駆動部５、走査ライン駆動部６および駆動電流制御部８を省略している。
【００３１】
この実施の形態４の構成の場合、表示ユニット１ａ１〜１ａｍ、１ｂ１〜１ｂｍ、・・・１ｎ１〜１ｎｍの配置位置によって、電圧制御部１０ａ、１０ｂ・・・１０ｎと信号ライン駆動部５の距離が長くなり、電圧降下が発生する場合がある。その場合、電圧制御部１０ａ、１０ｂ・・・１０ｎと信号ライン駆動部５の距離が長い場合は短い場合と比べて、電圧制御部１０ａ、１０ｂ・・・１０ｎから出力する電圧を大きくする必要がある。そのため、表示ユニット１の配置位置により、電圧制御部１０ａ、１０ｂ・・・１０ｎと信号ライン駆動部５の距離が長くなった場合、電圧を高くするよう制御する。
【００３２】
このように表示ユニットを複数組み合わせて１つの画面にしたときに、表示ユニットに表示する映像と表示ユニットの配置位置により、電圧制御部１０は表示ユニット毎に信号ライン駆動部５に入力する電圧を個別に制御するようにして、電力ロスを最小にし、消費電力の削減を実現する。
【００３３】
実施の形態５．
次に、この発明の実施の形態５における表示ユニットの駆動装置を図７、図８に基づいて説明する。
この実施の形態５の発明は、表示ユニット中の複数の走査ラインのうち、駆動する走査ラインの位置に応じて、その走査ラインを駆動する期間、信号ライン駆動部に入力する電圧を調整するようにしたものである。
【００３４】
図７に示すように、信号ライン駆動部５と走査ライン駆動部６の間には複数の有機ＥＬ素子からなる表示素子４１、４２、・・・４ｎが接続されており、表示素子４間の抵抗をそれぞれＲ３１、Ｒ３２、・・・、Ｒ３ｎと置くと、表示素子４1と表示素子４nをＩ４の電流で駆動するために必要な電圧には電圧差が発生し、その差ΔＶｓはＩ４×（Ｒ３２＋Ｒ３３＋・・・＋Ｒ３ｎ）で表される。即ち、走査ラインが信号ライン駆動部５から遠くなる程、電圧降下が大きくなるので、走査ライン間で電圧差が発生する。この電圧差が生じると、画面の位置に応じて明るさに差が生じて、色むらなどが生じる。
【００３５】
この発明は、駆動する走査ライン間で発生する電圧差をなくすため、駆動する走査ラインに応じて信号ライン駆動部５に入力する電圧を電圧制御部１０で変化させ、走査ライン間で電圧差が生じないようにする。信号ライン駆動部５から電流Ｉ４を出力するときの駆動時の入力電圧の波形を図８に示す。
表示素子４１が接続された走査ライン３１、表示素子４２が接続された走査ライン３２、・・・表示素子４ｎが接続された走査ライン３ｎを駆動する時の信号ライン駆動部５の入力電圧はそれぞれＶ９１、Ｖ９２、・・・・、Ｖ９ｎとなるよう、走査ライン３が信号ライン駆動部５から遠くになるにつれて次第に高くする。ここで、Ｖ９ｋ＋１＝Ｖ９ｋ＋１＋Ｉ４×Ｒｋ（１≦Ｋ≦ｎ−１）が成り立つ。
【００３６】
実施の形態６．
次に、この発明の実施の形態６における表示ユニットの駆動装置を図９に基づいて説明する。
実施の形態１〜５において、信号ライン駆動部５から出力する電流値に応じてその入力電圧を変化させる駆動方法を述べたが、コントローラ７から送信した信号によって、信号ライン駆動部５から電流が出力されるまでの時間と、電源ラインの電圧が変化するまでの時間は必ずしも一致していない。実施の形態６の発明は信号ライン駆動部５から出力される電流と信号ライン駆動部５に入力される電圧の同期をとるために、コントローラ７と各駆動部および制御部の間に遅延回路を設けるようにしたものである。
【００３７】
図９において、コントローラ７と信号ライン駆動部５との間に第１の遅延回路１１が、コントローラ７と走査ライン駆動部６との間に第２の遅延回路１２が、コントローラ７と駆動電流制御部８との間に第３の遅延回路１３がそれぞれ設けられている。
この構成により、信号ライン駆動部５から出力される電流と、信号ライン駆動部５に入力される電圧が同期するようにしている。その他の構成は実施の形態１の図１と同じにつき、説明を省略する。
【００３８】
まず、制御上、駆動電流制御部８への信号と、信号ライン駆動部５への信号と、走査ラ
イン駆動部６への信号は、同じタイミングで送る必要がある。コントローラ７に入力する映像データに基づいて、コントローラ７はその画像を表示するタイミングに合わせて信号ラインの選択、走査ラインの選択、電流値の設定を行い、映像を表示するためである。
ここで、電流値の設定と同時に、電圧制御部１０で電圧の変更を行った場合、電圧の変更はすぐには反映されないため、図１０に示すように、電圧の変化に遅延がかかり、電力ロスや、電圧不足による電流不足期間が発生する。これを防ぐために、事前に電圧を変化させることが必要になり、これは、駆動電流制御部８、信号ライン駆動部５、走査ライン駆動部６への信号を遅延回路１１、１２、１３で遅延させることで解決できる。
【００３９】
この構成を必要とする前提として、電圧変更に時間がかかり、電流変更は時間がかからないことが条件であるが、一般的に、電流変更は、信号ライン駆動部５である駆動ＩＣ内に電流変更の機能を備えているため、ダイナミックな電流の変更が可能である。それに対して、電圧制御部１０は電圧制御部内に電圧変更の機能を備え、変化させた電圧を信号ライン駆動部５に入力する。通常、一つの電圧制御部１０に複数の信号ライン駆動部５が接続されており、電流制御とは信号系統が異なるため、最終的な電圧の変化は、電流の変化に比べて時間がかかる場合が多い。
したがって遅延回路１１、１２、１３を設けて、信号ライン駆動部５から出力される電流と信号ライン駆動部５に入力される電圧が一致するようにする。これにより、より効率的な駆動が可能になる。
【００４０】
なお、以上の実施の形態において、信号ライン駆動部５は駆動ドライブ部に電流が流れ込む電流シンクの構成で説明したが、電流シンクに代えて、駆動ドライブ部から電流を出力する電流ソースで構成してもよい。
この発明は、その発明の範囲内において、各実施の形態を自由に組み合わせたり、各実施の形態を適宜、変形、省略することが可能である。
【００４１】
以上のようにこの発明は、表示ユニットにマトリックス状に画素が配置され、表示ユニット毎に複数の走査線と複数の信号ラインがあり、信号ラインを駆動する１つまたは複数の信号ライン駆動部と、信号ライン駆動部から出力する電流を変化させる駆動電流制御部と、１つまたは複数の信号ライン駆動部に入力する電圧を制御する電圧制御部と、それらの制御を行うコントロ−ラを備えた表示装置において、表示する映像により、１つまたは複数の信号ライン駆動部から出力する電流を変化させるとともに、信号ライン駆動部に入力する電圧を変化させることで、電力のロスを最小にし、消費電力の削減を実現することができる。
【符号の説明】
【００４２】
１：表示ユニット、                      ２：信号ライン、
３：走査ライン、                        ４：発光素子、
５：信号ライン駆動部、                  ６：走査ライン駆動部、
７：コントローラ、                      ８：駆動電流制御部、
９：電流―電圧変換部、                １０：電圧制御部、
１１、１２、１３：遅延回路。
【図１】
2013097169.tif 000003
【図２】
2013097169.tif 000004
【図３】
2013097169.tif 000005
【図４】
2013097169.tif 000006
【図５】
2013097169.tif 000007
【図６】
2013097169.tif 000008
【図７】
2013097169.tif 000009
【図８】
2013097169.tif 000010
【図９】
2013097169.tif 000011
【図１０】
2013097169.tif 000012
【図１１】
2013097169.tif 000013